(57)【要約】      （修正有）【課題】ロープにかかるテンションの強弱に関わらずスムーズにロープを移動することができるエンドレス方式のウインチ、及び該エンドレス方式のウインチを用いたロープの移動方法を提供する。【解決手段】駆動源により回転駆動する駆動軸３の設けられたウインチ本体２と、前記駆動軸に取り付けられた巻回ドラム５と、該巻回ドラムの外周縁に沿って形成された溝に沿って設けられ、溝に巻回されたロープを押圧する押圧移動体６から構成されたエンドレス方式のウインチ１において、前記押圧移動体の両端の端部ローラ７Ａ、７Ｂには、ウインチ本体に揺動自在に軸支された揺動板１０の一端側が回動自在に軸支され、且つ該揺動板の他端側には弾性体１１を介して押圧移動体の両端を連結する連結回動板１２が回動自在に軸支され、しかも前記揺動板にはウインチ本体に沿って揺動することでロープを溝側へ押圧するローラ１４が回転自在に軸支されている。【選択図】図１
2015078060.tif 000002
【特許請求の範囲】
【請求項１】
駆動源により回転駆動する駆動軸を回転自在に軸支されたウインチ本体と、前記駆動軸に取り付けられ、外周縁に沿ってロープを巻回する溝の形成された巻回ドラムと、前記溝へのロープ取り入れ部分から溝よりのロープの取り出し部分に沿って設けられ、両端側を弾性体で張設された押圧移動体から構成されたエンドレス方式のウインチにおいて、前記押圧移動体の両端の端部ローラには、ウインチ本体に揺動自在に軸支された揺動板の一端側が回動自在に軸支され、且つ該揺動板の他端側には弾性体を介して押圧移動体の両端を連結する連結回動板が回動自在に軸支され、しかも前記揺動板にはウインチ本体に沿って揺動することでロープを溝側へ押圧するローラが回転自在に軸支されていることを特徴とするエンドレス方式のウインチ。
【請求項２】
ネット等に連結したロープをウインチ本体に設けられた案内ローラで取り入れ、駆動軸の回転駆動で回転する巻回ドラムの外周縁に形成された溝に押圧移動体で溝側に押圧しながら一方側より取り込み、該溝に沿って巻回した後、巻回ドラムの溝の他方向より案内ローラを介して取り出し移動するエンドレス方式のウインチを用いたロープの移動方法において、ロープにかかるテンションの強弱に関わらず案内ローラを所望の幅で揺動し、該案内ローラに連動して前記押圧移動体の両端部ローラに回転自在に軸支され、ウインチ本体に揺動自在に軸支された揺動板を連動して揺動することで一方の揺動板に回転自在に軸支されたローラを溝側に押圧移動して溝へロープを取り入れるとともに、押圧移動体の両端側を連結した連結回動体を介して他方の揺動板を揺動し回転自在に軸支されたローラを押圧移動して溝よりロープを取り出し移動することを特徴とするエンドレス方式のウインチを用いたロープの移動方法。
【発明の詳細な説明】
【技術分野】
【０００１】本発明は、主に屋内外の空間部内に吊り張りするネットに連結されたロープを移動するのに用いるエンドレス方式のウインチ、及び該エンドレス方式のウインチを用いたロープの移動方法に関する。
【背景技術】
【０００２】従来、屋内空間部で間仕切り用、及び防球用として使用するネットは、屋内空間部の使用目的に応じて、該当する間仕切り用ネット、及び防球用ネットを開閉移動することで、空間部を自在に閉塞又は開放する。【０００３】上記ネットを開閉移動する装置の一例としては、空間部の天井側に取り付けられた複数の滑車と、一方の側面に取り付けられたウインチと、ウインチと滑車間に吊り張りした駆動用ロープと、該駆動用ロープに連結した複数の吊り張り用ロープと、上端側を天井側で吊り張り方向に沿って吊り張りした固定用ロープに固定し、前記吊り張り用ロープをネットの縦方向に沿って取り付けられたリングに挿通し下端側で固定したネットから構成され、ウインチを駆動することで駆動用ロープをエンドレス状に移動し、各吊り張り用ロープを昇降移動して、ネットを空間部に吊り張り又は収納する。【０００４】また、屋外空間部の防球用ネットは、風の影響を受け易く、風が強い日は、ネットを下降する必要がある。【０００５】上記屋外空間部のネットの昇降移動する装置は、空間部の外周に沿って立設した複数本の支柱の下端側に取り付けたウインチと、支柱の上端側に取り付けた滑車と、ウインチと滑車の間でエンドレス状に吊り張りした駆動用ロープと、該駆動用ロープに並行に吊り張りしたガイド用ロープと、吊り張り方向に取り付けたリングを前記ガイド用ロープに挿通し、先端側を駆動用ロープに固定したネットから構成され、ウインチを駆動することで駆動用ロープをエンドレス状に移動しガイド用ロープに沿ってネットを昇降移動する。【０００６】上記屋内外の各装置に用いるウインチは、駆動源により回転駆動する駆動軸の設けられたウインチ本体と、前記駆動軸に取り付けられ、円形状の外周縁に沿って略Ｖ字状の溝の形成された巻回ドラムと、巻回ドラムの溝の所望の範囲に設けられ、ロープを溝側に押圧する複数のローラから形成された押圧移動体と、押圧移動体の両端側に連結したバネ等の弾性体と、巻回ドラムへロープを案内移動、及び巻回ドラムよりロープを取り出し移動する案内ローラから構成されている。【０００７】また、他のウインチとしては、押圧移動体の一方の端部のみに弾性体を連結した構成や、押圧移動体の両端部に弾性体を用いないウインチがある。【０００８】尚、本発明において、ロープをエンドレス状に移動する方式のウインチを、エンドレス方式のウインチと定義する。
【発明の開示】
【発明が解決しようとする課題】
【０００９】しかしながら、上記従来のエンドレス方式のウインチは、ロープを溝側に取り入れる際、押圧移動体は両端側又は一端側が弾性体で付勢されているために、一方の端部でロープを溝側に押圧するが、弾性体のみによる付勢ではロープにかかるテンションの強弱に対応して弾性体の延びが相違し、常時ロープの適切な押圧ができないという欠点があった。【００１０】また、テンションの強弱により取り入れたロープの溝側への押圧位置が相違することで、ロープへの押圧力も相違し、ロープの摩耗の原因となる欠点があった。【００１１】また、上記のように弾性体はウインチ本体に一端側を取り付けているために、押圧移動体に対しての弾性体の弾性力は常に一定であり、ロープにかかるテンションが弱い場合に、ロープを適切に溝側に押圧できないという欠点があった。【００１２】また、押圧移動体の両端側に揺動板をそれぞれ連結する構成は、該揺動板がロープにかかるテンションの強弱に応じて固定軸に対して回転する角度調整することで軸支したローラでロープを溝側に押圧するが、同様にロープに係るテンションが弱い場合に溝側への押圧が適切な状態で押圧できないという欠点があった。【００１３】さらに、溝よりのロープの取り出し側では、押圧移動体巻回ドラム５の回転方向に沿って移動するために、他方の端部ローラが溝より離反しロープへの適切な押圧ができないという欠点があった。【００１４】そこで、本発明は上記課題を解決し、ロープにかかるテンションの強弱に関わらず常に最適に巻回ドラムの溝側にロープを押圧しながらスムーズに移動するとともに、ロープに過度な負荷がかからずにロープを移動することのできるエンドレス方式のウインチ、及び該エンドレス方式のウインチを用いたロープの移動方法を提供することを特徴とする。
【課題を解決するための手段】
【００１５】上記課題を解決するエンドレス方式のウインチは、請求項１に記載のように、駆動源により回転駆動する駆動軸の設けられたウインチ本体と、前記駆動軸に取り付けられた巻回ドラムと、該巻回ドラムの外周に形成された溝に沿って設けられ、該溝に巻回されたロープを押圧する押圧移動体と、前記巻回ドラムの近傍でロープを溝に取り入れ及び取り出し移動する一対の案内ローラから構成されたエンドレス方式のウインチにおいて、前記押圧移動体の両端の端部ローラには、ウインチ本体に揺動自在に軸支された揺動板の一端側が回動自在に軸支され、且つ揺動板の他端側には弾性体を介して押圧移動体の両端を連結する連結回動板が回動自在に軸支され、しかも前記揺動板にはウインチ本体に沿って揺動することで、ロープを溝側に押圧するローラが回転自在に軸支していることを特徴とする。【００１６】また、上記課題を解決するエンドレス方式のウインチを用いたロープの移動方法は、請求項２に記載のように、ネット等に連結したロープをウインチ本体に設けられた案内ローラで取り入れ、駆動軸の回転駆動で回転する巻回ドラムの外周に形成された溝に押圧移動体で押圧しながら一方側より取り込み、該溝に沿って巻回した後、巻回ドラムの溝の他方側より案内ローラを介して取り出し移動するエンドレス方式のウインチを用いたロープの移動方法において、ロープにかかるテンションの強弱に関わらず案内ローラを所望の幅で揺動し、該案内ローラに連動して押圧移動体の両端部ローラに回転自在に軸支され、ウインチ本体に揺動自在に軸支された揺動板を連結して揺動することで、一方の揺動板に回転自在に軸支されたローラを溝側に押圧移動して溝へロープを取り入れるとともに、押圧移動体の両端を連結した連結回動体を介して他方の揺動板を揺動し回転自在に軸支されたローラを押圧移動して溝よりロープを取り出し移動することを特徴とする。
【発明の作用・効果】
【００１７】本発明のエンドレス方式のウインチ、及び該エンドレス方式のウインチを用いたロープの移動方法の作用、効果を記載する。
【００１８】先ず、請求項１に記載のエンドレス方式のウインチは、駆動源により駆動軸を回転駆動して巻回ドラムを回転した状態で、ロープをウインチ本体に設けられた案内ローラを介して巻回ドラムの一方側より取り入れ、巻回ドラムの溝に沿って巻回移動した後、巻回ドラムの他方側で溝より取り出し案内ローラを介してウインチ本体より取り出し移動する。
【００１９】この際、押圧移動体の両端部ローラには、それぞれウインチ本体に揺動自在に軸支し他端側に弾性体を連結した揺動板に一端側を回動自在に軸支しているために、ロープのテンションの強弱に関わらず揺動板がウインチ本体に沿って揺動移動しながらローラを溝側に押圧してロープを溝に取り入れ移動することができる。
【００２０】また、前記揺動板に連結した弾性体の伸びによりロープのテンションを解消するために、押圧移動体は溝に沿っての移動が少なく、溝に沿って巻回移動するロープを溝側に適切に押圧移動することができる。
【００２１】しかも、前記揺動板は弾性体を介して押圧移動体の両端を連結する連結回動板が回動自在に軸支されているために、ロープの溝よりの取り出し部分においても、揺動板がウインチ本体に沿って揺動移動しながらローラを溝側に押圧してロープを溝より取り出し移動することができる。
【００２２】このため、巻回ドラムの回転をロープに無駄なく伝達でき、弛み、撓み又は捩じれが発生することなくスムーズなロープ移動を可能とする。
【００２３】また、駆動軸の回転方向が上記と逆に回転しても、押圧移動体の両端に回動自在に軸支した揺動板の揺動移動と、該揺動板に連結した連結回動板の回動移動との組み合わせにより、上記と同様にロープをスムーズに移動することができる。
【００２４】このように、本発明のエンドレス方式のウインチは、揺動板がウインチ本体に揺動自在に軸支され、巻回ドラムの回転方向にロープをスムーズに移動することができ、また、押圧移動体の移動も揺動板、及び連結回動板で所望の幅で移動でき、スムーズなロープの取り入れ、及び取り出し移動を行うことができる。
【００２５】また、テンションが強い場合でも、弱い場合でも、揺動板と連結回動板との組み合わせによる揺動移動で揺動板のローラを溝側に移動し、ロープを押圧して確実にロープを取り入れ移動することができる。
【００２６】次に、請求項２に記載のエンドレス方式のウインチを用いたロープの移動方法は、ネット等に連結したロープをウインチ本体に設けられた案内ローラで取り入れ巻回ドラム側に移動する。その後、駆動軸の回転駆動で回転する巻回ドラムの外周に形成された溝に押圧移動体を用いてロープを押圧しながら一方側より取り込み、該溝に沿ってロープを巻回する。
【００２７】その後、巻回ドラムの溝の他方側より案内ローラを介してロープを移動しウインチ本体より取り出し移動する。
【００２８】上記ロープを巻回ドラムの溝に取り入れ移動する際、ロープにかかるテンションに関わらず案内ローラを揺動移動し、該案内ローラに連動して押圧移動体の一方の端部ローラに回動自在に軸支され、ウインチ本体に揺動自在に軸支された揺動板を連動して揺動することで該揺動板に回転自在に軸支したローラを溝側へ押圧移動しながらロープを取り入れ移動する。
【００２９】また、押圧移動体の両端側を連結した連結回動板を介して他方の揺動板を揺動し、該揺動板に回転自在に軸支したローラを溝側に押圧移動しながらロープを取り出し連動した案内ローラを介して取り出し移動する。
【００３０】このため、ロープにかかるテンションの強弱に関わらずロープを溝部分に適切に押圧し、スムーズにロープを移動することができる。
【００３１】このように、本発明のエンドレス方式のウインチを用いたロープの移動方法は、案内ローラと揺動板を連動してロープのテンションの強弱に関わらずロープをスムーズに取り入れ、及び取り出し移動することができる。
【００３２】また、テンションの強弱に関わらずスムーズに取り入れ及び取り出し移動できるために、ロープの弛み等を確実に解消しながらロープを移動できる。
【発明を実施するための最良の形態】
【００３３】本発明のエンドレス方式のウインチ、及びエンドレス方式のウインチを用いたロープの移動方法について図面に沿って説明する。【００３４】図１は本発明のエンドレス方式のウインチの一実施例を示す概略説明平面図であり、図２は図１のエンドレス方式のウインチのロープ取り入れ側の揺動板と案内ローラとの連動を示す概略説明平面図であり、図３は図１のエンドレス方式のウインチのロープ取り出し側の揺動板と案内ローラとの連動を示す概略説明平面図であり、図４、図５は本発明のエンドレス方式のウインチの他実施例を示す概略説明平面図であり、図６、図７は本発明のエンドレス方式のウインチを用いたロープの移動方法を示すフローチャートを示す。【００３５】本発明のエンドレス方式のウインチ１は、矩形状のウインチ本体２と、該ウインチ本体２に回転自在に軸支され、駆動源により回転駆動する駆動軸３と、該駆動軸３に取り付けられ、外周縁に沿って溝４の形成された円形状の巻回ドラム５と、前記溝４へのロープ２０取り入れ部分より取り出し部分まで円弧状に溝４に沿って設けられ、複数個のローラを回動自在に連結された押圧移動体６から構成されている。【００３６】前記押圧移動体６の両端部ローラ７（７Ａ、７Ｂ）には、ウインチ本体２の固定軸８に楕円形状の孔９に遊嵌され、ローラ１４が回転自在に軸支された略三角形状の揺動板１０の一端側が回動自在に軸支されている。【００３７】これによって、押圧移動体６は揺動板１０の孔９の範囲内で溝４に沿って移動することができる。【００３８】前記揺動板１０の他端側には、押圧移動体６を両側より引っ張るべく弾性体１１が連結されている。【００３９】前記弾性体１１の他端側は、ウインチ本体２の固定軸１３に回動自在に軸支された連結回動板１２に連結され、押圧移動体６の溝４に沿っての移動に応じて固定軸１３を中心に回動する。【００４０】前記連結回動板１２には、一対の案内ローラ１５（１５Ａ，１５Ｂ）が固定軸１３を中心に等間隔の位置で回転自在に軸支されている。【００４１】上記構成により、ロープ２０の取り入れ側では、案内ローラ１５を介して溝４に取り入れると、連結回動板１２が巻回ドラム５の回転方向に回動するとともに、揺動板１０が巻回ドラム５の回転方向に孔９に沿って所望の幅で揺動し、ローラ１４を溝４側に移動する。【００４２】また、ロープ２０の取り出し側では、揺動板１０が巻回ドラム５の回転方向に孔９に沿って揺動するとともに、連結回動板１２を巻回ドラム５の回転方向に回動する。【００４３】これにより、取り入れ側ではロープ２０はローラ１４で適切に押圧されながら溝４側に取り入れ移動し、取り出し側ではロープ２０はローラ１４で適切に押圧されながら溝４より取り出し移動することができる。【００４４】また、上記連結回動板１２の回動と揺動板１０の揺動移動との組み合わせにより、ロープ２０のテンションの強弱に対応し、テンションが弱い場合は、連結回動板１２の回動のみで弾性体１１が強く引っ張られることなく揺動板１０を巻回ドラム５の回転方向に移動し、テンションが強い場合は、連結回動板１２の回動と弾性体１１の伸び及び揺動板１０の回転方向への移動の組合せで対応する。【００４５】即ち、テンションの強弱を弾性体１１の伸びで解消することで、常に、一定に保ったローラ１４の溝側への押圧移動を行うことができる。【００４６】本発明のエンドレス方式のウインチ１は上記のように構成され、次に、該エンドレス方式のウインチ１を用いて、ネットに連結したロープ２０を移動する場合について説明する。【００４７】先ず、駆動軸３を駆動し巻回ドラム５を回転駆動した状態でネットに連結されたロープ２０を連結回動体１２に回転自在に軸支された案内ローラ１５Ａを介して巻回ドラム５の溝４側へ移動すると、ロープ２０にかかるテンションを連結回動板１２の巻回ドラム５の回転方向への回動、及び揺動板１０の巻回ドラム５の回転方向への揺動の組み合わせ（連結回動板１２が揺動板１０に近接する方向に移動する）により対応しながらロープ２０を取り入れる。【００４８】この際、揺動板１０は孔９の範囲内で揺動移動し、軸支されたローラ１４を溝４側に移動し、ロープ２０を適切（弾性体１１の他端側がウインチ本体２に固定されていないのでテンションの強弱（テンションが強弱に応じて、弾性体１１の引っ張られる力が相違する）に関わらずローラ１４で強く押圧しない）に溝４側に押圧する。【００４９】この状態で、ロープ２０は溝４に沿ってスムーズに取り入れられ、溝４に沿って巻回される。【００５０】次に、ロープ２０の取り出し側では、連結回動板１２が巻回ドラム５の回転方向に回動、及び揺動板１０も巻回ドラム５の回転方向に沿って揺動の組み合わせ（連結回動板１２が揺動板１０より離反する方向に移動する）により案内ローラ１５を介してロープ２０を取り出す。【００５１】この際、揺動板１０は孔９の範囲内で揺動し、軸支されたローラ１４を溝４側に移動し、ロープ２０を適切に溝４側に押圧（テンションの強弱を弾性体１１部分の伸びで解消）しながらロープ２０を取り出し移動する。【００５２】このように、本発明のエンドレス方式のウインチ１はロープ２０にかかるテンションの強弱に関わらず、スムーズに取り入れ移動、及び取り出し移動することができる。【００５３】また、ロープ２０にかかるテンションの強弱に関わらず移動することができるので、ロープ２０の弛み、撓み及び捩じれを解消することができる。【００５４】尚、上記実施例では、連結回動板１２に案内ローラ１５を回転自在に軸支したが、本発明において、案内ローラ１５を連結回動板１２に軸支することは必須条件ではなく、案内ローラ１５をウインチ本体２に軸支することも可能である。【００５５】又、上記実施例ではウインチ本体２の固定軸１３に連結回動板１２を回動自在に軸支したが、案内ローラ１５が２個以上の場合に、該案内ローラ１５の固定軸を利用して回動自在に軸支することも可能であり、また、連結回動板１２に一方を開放した溝１８を形成し、該溝１８に固定軸１１を回動自在に軸支することも可能である。
【図面の簡単な説明】
【００５６】
【図１】本発明のエンドレス方式のウインチの一実施例を示す概略説明平面図
【図２】図１のエンドレス方式のウインチのロープの取り入れ側の揺動板と案内ローラとの連動を示す概略説明平面図
【図３】図１のエンドレス方式のウインチのロープの取り出し側の揺動板と案内ローラとの連動を示す概略説明平面図
【図４】本発明のエンドレス方式のウインチの他実施例を示す概略説明平面図
【図５】本発明のエンドレス方式のウインチの他実施例を示す概略説明平面図
【図６】本発明のエンドレス方式のウインチを用いたロープの移動方法のフローチャート
【図７】本発明のエンドレス方式のウインチを用いたロープの移動方法のフローチャート
【符号の説明】
【００５７】１−エンドレス方式のウインチ、２−ウインチ本体、３−駆動軸、５−巻回ドラム、１０−揺動板、１５−連結回動板
【図１】
2015078060.tif 000003
【図２】
2015078060.tif 000004
【図３】
2015078060.tif 000005
【図４】
2015078060.tif 000006
【図５】
2015078060.tif 000007
【図６】
2015078060.tif 000008
【図７】
2015078060.tif 000009
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
駆動源により回転駆動する駆動軸を回転自在に軸支されたウインチ本体と、前記駆動軸に取り付けられ、外周縁に沿ってロープを巻回する溝の形成された巻回ドラムと、前記溝へのロープ取り入れ部分から溝よりのロープの取り出し部分に沿って設けられた押圧移動体から構成されたエンドレス方式のウインチにおいて、前記押圧移動体の両端の端部ローラには、ウインチ本体に揺動自在に軸支された揺動板の一端側が回動自在に軸支され、且つ該揺動板の他端側には弾性体を介して押圧移動体の両端を連結する連結回動板が回動自在に軸支され、しかも前記揺動板にはウインチ本体に沿って揺動することでロープを溝側へ押圧するローラが回転自在に軸支されていることを特徴とするエンドレス方式のウインチ。
【請求項２】
ネットに連結したロープをウインチ本体に設けられた案内ローラで取り入れ、駆動軸の回転駆動で回転する巻回ドラムの外周縁に形成された溝に押圧移動体で溝側へ押圧しながら一方側より取り込み、該溝に沿って巻回した後、巻回ドラムの溝の他方側より案内ローラを介して取り出し移動するエンドレス方式のウインチを用いたロープの移動方法において、ロープにかかるテンションの強弱に関わらず案内ローラを所望の幅で揺動し、該案内ローラに連動して前記押圧移動体の両端部ローラに回転自在に軸支され、ウインチ本体に孔の範囲内で揺動移動する揺動板を連動して弾性体の伸びで揺動することで一方の揺動板に回転自在に軸支されたローラを溝側に押圧移動して溝へロープを取り入れるとともに、押圧移動体の両端側を連結した連結回動体を介して他方の揺動板を揺動し回転自在に軸支されたローラを押圧移動して溝よりロープを取り出し移動することを特徴とするエンドレス方式のウインチを用いたロープの移動方法。
【手続補正２】
【補正対象書類名】明細書
【補正対象項目名】００１５
【補正方法】変更
【補正の内容】
【００１５】上記課題を解決するエンドレス方式のウインチは、請求項１に記載のように、駆動源により回転駆動する駆動軸の設けられたウインチ本体と、前記駆動軸に取り付けられ、外周縁に沿ってロープを巻回する溝の形成された巻回ドラムと、前記溝へのロープ取り入れ部分から溝よりのロープの取り出し部分に沿って設けられた押圧移動体から構成されたエンドレス方式のウインチにおいて、前記押圧移動体の両端の端部ローラには、ウインチ本体に揺動自在に軸支された揺動板の一端側が回動自在に軸支され、且つ揺動板の他端側には弾性体を介して押圧移動体の両端を連結する連結回動板が回動自在に軸支され、しかも前記揺動板にはウインチ本体に沿って揺動することでロープを溝側に押圧するローラが回転自在に軸支していることを特徴とする。
【手続補正３】
【補正対象書類名】明細書
【補正対象項目名】００１６
【補正方法】変更
【補正の内容】
【００１６】また、上記課題を解決するエンドレス方式のウインチを用いたロープの移動方法は、請求項２に記載のように、ネットに連結したロープをウインチ本体に設けられた案内ローラで取り入れ、駆動軸の回転駆動で回転する巻回ドラムの外周縁に形成された溝に押圧移動体で押圧しながら一方側より取り込み、該溝に沿って巻回した後、巻回ドラムの溝の他方側より案内ローラを介して取り出し移動するエンドレス方式のウインチを用いたロープの移動方法において、ロープにかかるテンションの強弱に関わらず案内ローラを所望の幅で揺動し、該案内ローラに連動して押圧移動体の両端部ローラに回動自在に軸支され、ウインチ本体に孔の範囲内で揺動移動する揺動板を連動して弾性体の伸びで揺動することで、一方の揺動板に回動自在に軸支されたローラを溝側に押圧移動して溝へロープを取り入れるとともに、押圧移動体の両端を連結した連結回動体を介して他方の揺動板を揺動し回転自在に軸支されたローラを押圧移動して溝よりロープを取り出し移動することを特徴とする。
【手続補正４】
【補正対象書類名】明細書
【補正対象項目名】００２６
【補正方法】変更
【補正の内容】
【００２６】次に、請求項２に記載のエンドレス方式のウインチを用いたロープの移動方法は、ネットに連結したロープをウインチ本体に設けられた案内ローラで取り入れ巻回ドラム側に移動する。その後、駆動軸の回転駆動で回転する巻回ドラムの外周に形成された溝に押圧移動体を用いてロープを押圧しながら一方側より取り込み、該溝に沿ってロープを巻回する。